(57)【特許請求の範囲】
【請求項１】
ヒューズユニットの上部を覆う第一のカバーと、ヒューズユニットの上部、バッテリポストおよびバッテリ端子を覆う第二のカバーと、第一のカバーと第二のカバーとを繋ぐヒンジ部とにより一体的に構成されているバッテリカバーにおいて、
前記第二のカバーは、
前記バッテリポストおよび前記バッテリ端子を覆う壁の側部側となる対向する側壁の各側壁の下端から下方に延び、かつ弾性変形可能な一対のリブを有し、
前記対向する側壁の各側壁には、前記一対のリブのうち下端のリブの上方に該リブを貫通可能な貫通口が形成され、
前記一対のリブの各リブは、
該リブを前記バッテリ端子と接触するように側壁の内側にＵ字形状に曲げ、かつ該リブの先端部分を前記貫通口から側壁の外側に出した状態で保持させる保持部を有することを特徴とするバッテリカバー。
【請求項２】
前記一対のリブの各リブは、
帯状に形成され、
一定の肉厚に形成された肉厚一定部と、
前記一対のリブの各リブが互いに向かい合う側であり、かつ各リブの延在方向に前記肉厚一定部に比して薄肉に形成された薄肉部を有することを特徴とする請求項１に記載のバッテリカバー。
【請求項３】
前記薄肉部は、
前記一対のリブの各リブに３箇所設けられた凹部であることを特徴する請求項２に記載のバッテリカバー。
【請求項４】
前記保持部は、
前記一対のリブの各リブの先端で鉤状に形成された鉤状部であることを特徴とする請求項１〜３のいずれか一つに記載のバッテリカバー。
【発明の詳細な説明】
【技術分野】
【０００１】
本発明は、ヒューズユニットの上部を覆う第一のカバーと、ヒューズユニットの上部、バッテリポストおよびバッテリ端子を覆う第二のカバーと、第一のカバーと第二のカバーとを繋ぐヒンジ部とにより一体的に構成されているバッテリカバーに関する。
【背景技術】
【０００２】
従来、車両等に搭載されるバッテリによって各種電装品等に電源を供給する場合、バッテリポストとヒューズユニットとを接続させるための端子となるバッテリ端子を設け、ヒューズユニットによってヒューズを介してバッテリと各種電装品等との電気的接続を可能にしている。ここで、ヒューズユニットは、各種電装品等にバッテリからの電源を供給するために、複数の端子接続部を有している。このため、ヒューズユニットが有する複数の端子接続部、バッテリポスト、バッテリ端子等の絶縁、防水、防塵を行うため、バッテリポスト、バッテリ端子およびヒューズユニットの上部はバッテリカバーで覆われるようにしている。例えば、特許文献１にはヒューズユニットの絶縁、防水および防水効果を高めたバッテリカバーが提案されている。
【先行技術文献】
【特許文献】
【０００３】
【特許文献１】特開２００２−２８９１７１号公報
【発明の概要】
【発明が解決しようとする課題】
【０００４】
特許文献１に記載のバッテリカバー１００は、図８に示すように、ヒューズユニット５０の上部を覆う第一のカバー１０１と、第一のカバー１０１にヒンジ部１３を介して繋がり、ヒューズユニット５０の上部、バッテリポスト３１およびバッテリ端子４０を覆う第二のカバー１０２とにより一体的に構成されている。このバッテリカバー１００は、ヒンジ部１３の近傍にヒンジ部１３を間にして向かい合う傾斜した壁を有し、かつヒンジ部１３をヒンジ部１３近傍部分の肉厚に比して薄肉に形成することによって第二のバッテリカバーの開閉をスムーズに行えるようにしている。
【０００５】
しかしながら、特許文献１に記載のバッテリカバー１００は、バッテリ端子４０とヒューズユニット５０とを接続させるためのボルト４０ａ等の高さの影響により、バッテリ端子４０との間に縦方向で余分な間隔Ｄ１が生じるとともに（図９参照）、ヒューズユニット５０の形状に対応させる必要性からバッテリ端子４０との間に横方向で余分な間隔Ｄ２が生じるため（図１０参照）、例えば輸送の際の衝撃により荷重が付加されてヒンジ部１３に応力が集中し、結果的にヒンジ部１３が破損してしまうという問題があった。
【０００６】
本発明は、上記に鑑みてなされたものであって、荷重が付加されたとしても、破損を防止することができるバッテリカバーを提供することを目的とする。
【課題を解決するための手段】
【０００７】
上述した課題を解決し、目的を達成するために、本発明の請求項１にかかるバッテリカバーは、ヒューズユニットの上部を覆う第一のカバーと、ヒューズユニットの上部、バッテリポストおよびバッテリ端子を覆う第二のカバーと、第一のカバーと第二のカバーとを繋ぐヒンジ部とにより一体的に構成されているバッテリカバーにおいて、前記第二のカバーは、前記バッテリポストおよび前記バッテリ端子を覆う壁の側部側となる対向する側壁の各側壁の下端から下方に延び、かつ弾性変形可能な一対のリブを有し、前記対向する側壁の各側壁には、前記一対のリブのうち下端のリブの上方に該リブを貫通可能な貫通口が形成され、前記一対のリブの各リブは、該リブを前記バッテリ端子と接触するように側壁の内側にＵ字形状に曲げ、かつ該リブの先端部分を前記貫通口から側壁の外側に出した状態で保持させる保持部を有することを特徴とする。
【０００８】
また、本発明の請求項２にかかるバッテリカバーは、上記の発明において、前記一対のリブの各リブは、帯状に形成され、一定の肉厚に形成された肉厚一定部と、前記一対のリブの各リブが互いに向かい合う側であり、かつ各リブの延在方向に前記肉厚一定部に比して薄肉に形成された薄肉部を有することを特徴とする。
【０００９】
また、本発明の請求項３にかかるバッテリカバーは、上記の発明において、前記薄肉部は、前記一対のリブの各リブに３箇所設けられた凹部であることを特徴する。
【００１０】
また、本発明の請求項４にかかるバッテリカバーは、上記の発明において、前記保持部は、前記一対のリブの各リブの先端で鉤状に形成された鉤状部であることを特徴とする。
【発明の効果】
【００１１】
本発明の請求項１にかかるバッテリカバーは、一対のリブの各リブは、第二の側壁の内側にＵ字形状に曲げられ、Ｕ字形状に曲げられた状態でバッテリ端子に接触しているので、各リブは、第二の側壁とバッテリ端子との間で第二のカバーが受ける縦方向および横方向の荷重に対して反力を発生するバネとして作用する。このため、バッテリカバーの上方あるいは側方から荷重を受けたとしても、一対のリブがバッテリ端子から受ける反力によって、これらの荷重に対する反力を発生させる。すなわち、バッテリカバーにかかる応力を低減させてヒンジ部に応力が集中することを防止することができ、結果的にバッテリカバーの破損を防止することができる。
【００１２】
本発明の請求項２にかかるバッテリカバーは、薄肉部を介して各リブを容易にＵ字形状に曲げることができる。
【００１３】
本発明の請求項３にかかるバッテリカバーは、３箇所の凹部を介して各リブを容易にＵ字形状に曲げることができる。
【００１４】
本発明の請求項４にかかるバッテリカバーは、簡易な構成で各リブをＵ字形状で曲げた状態に保持することができる。
【図面の簡単な説明】
【００１５】
【図１】図１は、本発明にかかるバッテリカバーをヒューズユニットの上部、バッテリ端子およびバッテリポストを覆うカバーとして適用した構成を示す分解斜視図である。
【図２】図２は、図１示したバッテリカバーの斜視図である。
【図３】図３は、図２に示したバッテリカバーのＡ−Ａ断面図である。
【図４】図４は、バッテリカバーが、バッテリ端子を覆った状態を示した背面図である。
【図５】図５は、鉤状部を第二の側壁の外側に出した状態のバッテリカバーの斜視図である。
【図６】図６は、図４に示したバッテリカバーおよびバッテリ端子上部のＢ−Ｂ断面図である。
【図７】図７は、図６に示したバッテリカバーの鉤状部周辺を拡大した図である。
【図８】図８は、従来のバッテリカバーをヒューズユニットの上部、バッテリ端子およびバッテリポストを覆うカバーとして適用した状態を示す分解斜視図である。
【図９】図９は、図８に示したバッテリカバーとバッテリ端子との間に余分な空間が生じていることを説明する図である。
【図１０】図１０は、図８に示したバッテリカバーとバッテリ端子との間に余分な空間が生じていることを説明する図である。
【発明を実施するための形態】
【００１６】
以下、図面を参照して、本発明にかかるバッテリカバーの好適な実施の形態を詳細に説明する。
【００１７】
実施の形態
図１は、本発明にかかるバッテリカバー１をヒューズユニット５０の上部、バッテリ端子４０およびバッテリポスト３１を覆うカバーとして適用した構成を示す分解斜視図である。図２は、図１示したバッテリカバーの斜視図である。図３は、図２に示したバッテリカバーのＡ−Ａ断面図である。この実施の形態にかかるバッテリカバー１は、ヒューズユニット５０の上部を覆う第一のカバー１１と、ヒューズユニット５０の上部、バッテリポスト３１およびバッテリ端子４０を覆う第二のカバー１２と、第一のカバー１１と第二のカバー１２とを繋ぐヒンジ部１３とにより一体的に構成されている。
【００１８】
バッテリポスト３１は、鉛合金等の導電性の金属によって形成され、バッテリ３０本体の上面から突出して設けられている。
【００１９】
バッテリ端子４０は、バッテリポスト３１とヒューズユニット５０とを接続させるための端子である。バッテリ端子４０は、ボルト４０ａを有し、挿通孔４１を形成されている。ボルト４０ａは、ヒューズユニット５０をバッテリ端子４０に固定させるためのものであり、バッテリ端子４０に植設されている。挿通孔４１は、バッテリポストが挿通される孔である。
【００２０】
ヒューズユニット５０は、バッテリ端子４０と電装回路とを導通接続するための回路体である。ヒューズユニット５０は、バッテリ３０と各種電装品等とのヒューズ５５を介した電気的接続を可能にしている。ヒューズユニット５０は、水平に配置される第１分割部５１と垂直に配置される第２分割部５２とを有し第１分割部５１と第２分割部５２との間でほぼ直角に折り曲げられている。
【００２１】
ヒューズユニット５０は、インサート成形によりヒューズエレメント５３を収容した樹脂製の樹脂ボディ５４を備えている。ヒューズエレメント５３は、ヒューズ５５、バッテリ接続部５６、オルタネータ接続部５７およびスタータモータ接続部５８を有する。ヒューズエレメント５３は、バッテリ接続部５６、オルタネータ接続部５７およびスタータモータ接続部５８が金属板のプレス加工により一体形成されたものであり、この金属板の所定位置にヒューズ５５が配置されている。
【００２２】
バッテリ接続部５６は、第１分割部５１に設けられ、バッテリ端子４０に導通接続される部分である。バッテリ接続部５６は、貫通孔５６ａが形成されている。
【００２３】
オルタネータ接続部５７は、第１分割部５１に設けられ、ボルト５７ａが植設されている。オルタネータ接続部５７は、ボルト５７ａによってオルタネータ端子５７ｂを締結している。オルタネータ接続部５７は、オルタネータ端子５７ｂを導通接続させる。オルタネータ端子５７ｂは、図示しないオルタネータに繋がる電線Ｗａと接続する端子である。
【００２４】
スタータモータ接続部５８は、第１分割部５１に設けられ、ボルト５８ａが植設されている。スタータモータ接続部５８は、ボルト５８ａによってスタータモータ端子５８ｂを締結している。スタータモータ接続部５８ｂは、スタータモータ端子５８ｂを導通接続させる。スタータモータ端子５８ｂは、図示しないスタータモータに繋がる電線Ｗｂと接続する端子である。
【００２５】
ヒューズ５５は、第１ヒューズ５５ａと、第２ヒューズ５５ｂとを有する。第１ヒューズ５５ａは、第１分割部５１に配置される。第１ヒューズ５５ａは、バッテリ接続部５６とオルタネータ接続部５７との間に接続される。これにより、バッテリ接続部５６とオルタネータ接続部５７とは第１ヒューズ５５ａを介して電気的に接続される。
【００２６】
第２ヒューズ５５ｂは、第２分割部５２に４つ並んで配置される。各第２ヒューズ５５ｂの下方端には図示しないタブ端子が並んで配置されている。
【００２７】
ヒューズユニット５０は、バッテリ端子４０に植接されたボルト４０ａが貫通孔５６ａに通され、ナット４０ｂを嵌め合わせることによってバッテリ端子４０に固定される。これにより、ヒューズユニット５０は、バッテリ端子４０を介して、バッテリ３０との電気的な接続をとりつつバッテリ３０に固定される。
【００２８】
バッテリカバー１は、合成樹脂を材料とし、ヒューズユニット５０の上部、バッテリポスト３１およびバッテリ端子４０を覆うように下方を開口した箱型に形成されている。バッテリカバー１は、第一のカバー１１、第二のカバー１２およびヒンジ部１３を有する。バッテリカバー１は、第一のカバー１１と、第二のカバー１２と、第一のカバー１１と第二のカバー１２とを繋ぐヒンジ部１３とにより一体的に構成されている。
【００２９】
第一のカバー１１は、対向する第一の側壁１１ａ，１１ａと、第一の上壁１１ｂと、仕切壁１１ｃと、固定部１１ｄとを有する。第一の側壁１１ａ，１１ａは、第一のカバー１１の側部を形成する壁である。第一の上壁１１ｂは、第一のカバー１１の上部を形成する壁である。第一のカバー１１は、対向する第一の側壁１１ａ，１１ａと第一の上壁１１ｂとによってヒューズユニット５０の上部を覆うように形成されている。なお、第一のカバー１１の後側は、電線Ｗａ，Ｗｂを挿入させるために開口を形成してあり、前側はヒンジ部１３を介して第二のカバー１２に繋がっている。ここで、説明の都合上、前後の概念は、ヒューズユニット５０におけるバッテリ接続部５６および第１ヒューズ５５ａ側を前側とし、オルタネータ接続部５７およびスタータモータ接続部５８側を後側とする。
【００３０】
仕切壁１１ｃは、第一の上壁１１ｂの内側から下方に向けて延びる壁であり、ヒューズユニット５０に取り付けられた場合、オルタネータ端子５７ｂとスタータモータ端子５８ｂとの間に位置してこれら２端子の絶縁状態を保つものである。
【００３１】
固定部１１ｄは、バッテリカバー１をヒューズユニット５０に着脱自在に固定するためのものである。固定部１１ｄの内部には図示しない凸部が形成されており、ヒューズユニット５０に設けられた図示しない凹部に係合させることより、バッテリカバー１がヒューズユニット５０に固定される。
【００３２】
第二のカバー１２は、第二の側壁１２ａ，１２ａ、第二の上壁１２ｂ、前壁１２ｃ、リブ２０，２０および貫通口２１，２１を有する。第二の側壁１２ａ，１２ａは、第二のカバー１２の側部側となる対向する壁である。第二の上壁１２ｂは、第二のカバー１２の上部を形成する壁である。前壁１２ｃは、第二のカバー１２の前部を形成する壁である。
【００３３】
第二のカバー１２は、図２に示すように、対向する第二の側壁１２ａ，１２ａと、第二の上壁１２ｂと、前壁１２ｃとによってバッテリポスト３１およびバッテリ端子４０を覆う。第二のカバー１２は、ヒンジ部１３を介して回動可能であり、第一のカバー１１をヒューズエレメント５０に固定した状態で、開閉可能である。
【００３４】
リブ２０，２０は、図３に示すように、第二の側壁１２ａ，１２ａの下端から下方に延び、かつ弾性変形可能な一対の帯状に形成された部分である。リブ２０，２０は、バッテリカバー１と一体的に形成されている。すなわち、リブ２０，２０は、バッテリカバー１と同一の合成樹脂からなる。リブ２０，２０は、互いに向かい合う間の左右方向中央位置に対して線対称に形成されている。
【００３５】
各リブ２０は、肉厚一定部２０ａ、凹部２０ｂおよび鉤状部２０ｃを有する。肉厚一定部２０ａは、一定の肉厚に形成された部分である。
【００３６】
凹部２０ｂは、薄肉部として肉厚一定部２０ａに比して薄肉に形成された部分である。凹部２０ｂは、一対のリブ２０，２０が互いに向かい合う側、かつリブ２０の延在方向で３箇所に設けられている。このように凹部２０ｂが設けられることによって、各リブ２０は、側壁１２ａの内側にＵ字形状に曲げ易くなる。
【００３７】
鉤状部２０ｃは、リブ２０をバッテリ端子４０と接触するように側壁１２ａの内側にＵ字形状に曲げ、かつ該リブ２０の先端部分を貫通口２１から側壁１２ａの外側に出した状態で保持させるものである。鉤状部２０ｃは、各リブ２０の先端で鉤状に形成された部分である。鉤状部２０ｃは、肉厚一定部２０ａの肉厚に比して厚い部分である。
【００３８】
貫通口２１，２１は、対向する第二の側壁１２ａの各側壁に形成された貫通口である。対向する第二の側壁１２ａ，１２ａの各側壁は、一対のリブ２０，２０のうち下端のリブ２０の上方に該リブ２０を貫通可能な貫通口２１を形成される。すなわち、貫通口２１，２１は、リブ２０，２０を第二の側壁１２ａ，１２ａの下端から上方に向けて曲げた場合、リブ２０，２０の先端が向く方向に配置される。貫通口２１，２１は、肉厚一定部２０ａの延在方向直角の断面形状とほぼ等しい形状に形成される。
【００３９】
ここで、鉤状部２０ｃ，２０ｃは、貫通口２１，２１の開口サイズよりも大きいサイズであるものの、弾性変形させることによって通口２１，２１に挿通させることが可能である。鉤状部２０ｃ，２０ｃは、貫通口２１，２１に挿通され、第二の側壁１２ａの外側に出されるともとの形状に戻る。これにより、鉤状部２０ｃ，２０ｃは、リブ２０，２０の先端部分を第二の側壁１２ａ，１２ａの外側に出した状態で保持させることができる。
【００４０】
次に、図４〜図６を用いて一対のリブ２０，２０が、鉤状部２０ｃ，２０ｃによって、第二の側壁１２ａの外側に先端部分を出して保持される状態を具体的に説明する。図４は、バッテリカバー１が、バッテリ端子４０を覆った状態を示した背面図である。図５は、鉤状部２０ｃ，２０ｃを第二の側壁１２ａ，１２ａの外側に出した状態のバッテリカバー１の斜視図である。図６は、図４に示したバッテリカバー１およびバッテリ端子４０上部のＢ−Ｂ断面図である。図７は、図６に示したバッテリカバー１の鉤状部２０ｃ周辺を拡大した図である。
【００４１】
第二の側壁１２ａ，１２ａの下端から下方に延びるリブ２０，２０は、図６に示すように側壁１２ａ，１２ａの内側にＵ字形状に曲げられ、鉤状部２０ｃ，２０ｃを貫通口２１，２１から第二の側壁１２ａ，１２ａの外側に出している。このように曲げられたリブ２０，２０は、図４および図６に示すように、第二の側壁１２ａ，１２ａ内側にＵ字形状に曲げられるとともに、Ｕ字形状に曲げられた状態でバッテリ端子４０に接触している。さらに、リブ２０，２０は、第二のカバー１２とバッテリ端子４０との間であって余分な間隔があるところでＵ字形状に曲げられるように設けられている。このため、一対のリブ２０，２０は、第二の側壁１２ａ，１２ａとバッテリ端子４０との間で第二のカバー１２が受ける縦方向および横方向の荷重に対して反力を発生するバネとして作用する。
【００４２】
この発明の実施の形態では、一対のリブの各リブ２０，２０は、第二の側壁１２ａ，１２ａの内側にＵ字形状に曲げられ、Ｕ字形状に曲げられた状態でバッテリ端子４０に接触しているので、各リブ２０は、第二の側壁１２ａとバッテリ端子４０との間で第二のカバー１２が受ける縦方向および横方向の荷重に対して反力を発生するバネとして作用する。このため、第二のカバー１２の上方あるいは側方から荷重を受けたとしても、一対のリブ２０，２０がバッテリ端子４０から受ける反力によって、これらの荷重に対する反力を発生させる。すなわち、第二のカバー１２にかかる応力を低減させてヒンジ部１３に応力が集中することを防止することができ、結果的にバッテリカバー１の破損を防止することができる。
【００４３】
また、この発明の実施の形態では、一対のリブ２０，２０がバッテリ端子４０から受ける反力によって、第二のカバー１２の上方あるいは側方からかかる荷重に対する反力を発生させるので、バッテリカバー１を組み付ける際の押し圧に対しても反力を発生させることができ、結果的にバッテリカバー１の組み付け性を向上することができる。
【００４４】
さらに、この発明の実施の形態では、リブ２０，２０が弾性変形するので、バッテリカバー１を多種形状のバッテリ端子に適用することができる。
【００４５】
また、この発明の実施の形態では、３箇所の凹部２０ｂを介してリブ２０，２０を容易にＵ字形状に曲げることができる。
【００４６】
また、この発明の実施の形態では、鉤状部２０ｃ，２０ｃが、リブ２０，２０の先端部分を第二の側壁１２ａ，１２ａの外側に出した状態で保持させるので、簡易な構成で一対のリブ２０，２０をＵ字形状で曲げた状態に保持することができる。
【００４７】
なお、この発明の実施の形態では、凹部２０ｂがリブ２０，２０の延在方向で３箇所に設けられるものを例示したが、これに限らず、一対のリブ２０，２０の各リブをバッテリ端子４０と接触するように第二の側壁１２ａの内側にＵ字形状に曲げることができればよい。例えば、薄肉部を設けるようにしてもよいし、凹部２０ｂあるいは薄肉部を設けない構成としてもよい。ここで薄肉部は、肉厚一定部２０ａに比して薄肉に形成した部分であり、例えば、リブ２０，２０の内側および外側から凹ませて薄肉に形成した部分である。
【００４８】
なお、この発明の実施の形態では、リブ２０，２０が鉤状部２０ｃ，２０ｃを有するものを例示したが、これに限らず、リブ２０，２０の先端を第二の側壁１２ａ，１２ａの外側に出した状態で保持させることができればよい。例えば、第二の側壁１２ａ，１２ａの外側の貫通口２１，２１の近傍に第二の側壁１２ａ，１２ａの外側に出たリブ２０，２０の先端を第二の側壁１２ａ，１２ａの外側で保持する保持部を設けるようにしてもよい。具体的には、第二の側壁１２ａ，１２ａの外側に出たリブ２０，２０の先端に貫通口２１，２１のサイズよりも大きいキャップ等を被せることによって、リブ２０，２０の先端が第二の側壁１２ａ，１２ａ内側に戻らないようにしてもよい。
【００４９】
なお、この実施の形態によってこの発明が限定されるものではない。
【符号の説明】
【００５０】
１，１００      バッテリカバー
１１，１０１    第一のカバー
１１ａ  第一の側壁
１１ｂ  第一の上壁
１１ｃ  仕切壁
１１ｄ  固定部
１２，１０２    第二のカバー
１２ａ  第二の側壁
１２ｂ  第二の上壁
１２ｃ  前壁
１３    ヒンジ部
２０    リブ
２０ａ  肉厚一定部
２０ｂ  凹部
２０ｃ  鉤状部
２１    貫通口
３０    バッテリ
３１    バッテリポスト
４０    バッテリ端子
４０ａ  ボルト
４０ｂ  ナット
４１    挿通孔
５０    ヒューズユニット
５１    第一分割部
５２    第二分割部
５３    ヒューズエレメント
５４    樹脂ボディ
５５    ヒューズ
５５ａ  第一のヒューズ
５５ｂ  第二のヒューズ
５６    バッテリ接続部
５６ａ  貫通孔
５７    オルタネータ接続部
５７ａ  ボルト
５７ｂ  オルタネータ端子
５８    スタータモータ接続部
５８ａ  ボルト
５８ｂ  スタータモータ端子
Ｗａ，Ｗｂ  電線
【図１】
0005504094.tif 000002
【図２】
0005504094.tif 000003
【図３】
0005504094.tif 000004
【図４】
0005504094.tif 000005
【図５】
0005504094.tif 000006
【図６】
0005504094.tif 000007
【図７】
0005504094.tif 000008
【図８】
0005504094.tif 000009
【図９】
0005504094.tif 000010
【図１０】
0005504094.tif 000011